(57)【特許請求の範囲】
【請求項１】
底部の一方の相対する側部からは、開口凹部が形成されていない側壁が立設されているとともに、底部のもう一方の相対する側部からは開放側壁が立設された側部開放型容器において、底部底面が平坦に形成されているとともに、相対する開放側壁の上端部と開口凹部が形成されていない側壁との隅部には、開放側壁から見た正面形状が略方形状の嵌合片が形成されており、また、相対する開放側壁の外壁の両端部付近には、下端及び外壁側が開放されているとともに、開放側壁の外壁と直交する嵌合片の幅と略同じ幅溝を有する嵌合凹溝が形成されており、上方に位置する側部開放型容器と下方に位置する側部開放型容器とを、開口凹部が形成されていない側壁が、互いに、直交するように配置し、次いで、上方の側部開放型容器の底部を、下方の側部開放型容器の開放側壁の上端部に載置した際には、上方に位置する側部開放型容器に形成された前記嵌合凹溝に、下方に位置する側部開放型容器の開放側壁に形成された前記嵌合片が、嵌合されて、上方に位置する側部開放型容器の下方に位置する側部開放型容器に対する水平方向の移動が阻止されるように構成されていることを特徴とする側部開放型容器。
【発明の詳細な説明】
【０００１】
【発明の属する技術分野】
本発明は、対向する２側壁が省略された或いは対向する２側壁に開口凹部が形成されている箱状の容器（以下、単に、「側部開放型容器」という。）に関するものである。
【０００２】
【従来の技術】
図４及び図５を用いて、従来の側部開放型容器について説明する。
【０００３】
側部開放型容器Ｃ’においては、底部１０の一方の相対する側部からは、開口凹部が形成されていない側壁２０が立設されており、また、底部１０のもう一方の相対する側部からは、上部に開口凹部が形成された開放側壁３０が立設されている。底部１０の下面には、開口凹部が形成されていない側壁２０に対して平行に、２本の凹溝１０ａが形成されており、該平行な２本の凹溝１０ａの間隔は、相対する開放側壁３０の上端部３０ａの間隔と同じで、しかも、凹溝１０ａの溝幅１０ａ’は、上記相対する開放側壁３０の上端部３０ａの厚さ３０ｂ’よりも、若干、広く形成されている。
【０００４】
図５に示されているように、上方に位置する側部開放型容器Ｃ１’と下方に位置する側部開放型容器Ｃ２’とを、開口凹部が形成されていない側壁２０が、互いに、直交するように配置し、次いで、図５に二点鎖線で示されているように、上方の側部開放型容器Ｃ１’の底部１０を、下方の側部開放型容器Ｃ２’の開放側壁３０の上端部３０ａに載置するとともに、上方の側部開放型容器Ｃ１’の底部１０の底面に形成された凹溝１０ａを、下方の側部開放型容器Ｃ２’の開放側壁３０の上端部３０ａに挿入することにより、上方の側部開放型容器Ｃ１’と下方の側部開放型容器Ｃ２’とを、積み重ね高さを低くして積み重ねることができるように構成されている（以下、このように、積み重ね高さを低くした積み重ねを、単に、「ネスティング」と称する。）。このように、上方の側部開放型容器Ｃ１’の底部１０の底面に形成された凹溝１０ａに、下方の側部開放型容器Ｃ２’の開放側壁３０の上端部３０ａを嵌合するようにしたので、上方の側部開放型容器Ｃ１’が、下方の側部開放型容器Ｃ２’に対して、水平方向に移動しないので、多数の側部開放型容器Ｃ’を、安定した状態で、ネスティングすることができる。
【０００５】
【発明が解決しようとする課題】
しかしながら、上述した従来の側部開放型容器Ｃ’の底部１０の下面には、２本の凹溝１０ａが形成されているために、側部開放型容器Ｃ’をローラーコンベヤー等の搬送装置に載置して、搬送する際に、凹溝１０ａが、ローラーコンベヤー等に引っ掛かってスムースな搬送ができなかったり、搬送装置からの側部開放型容器Ｃ’の搬出がスムースに行えない等の問題がある。
【０００６】
本発明の目的は、上述した従来の側部開放型容器が有する課題を解決するとともに、作業性や取扱性の向上した側部開放型容器を提供することにある。
【０００７】
【課題を解決するための手段】
本発明は、上述した目的を達成するために、底部の一方の相対する側部からは、開口凹部が形成されていない側壁が立設されているとともに、底部のもう一方の相対する側部からは開放側壁が立設された側部開放型容器において、底部底面が平坦に形成されているとともに、相対する開放側壁の上端部と開口凹部が形成されていない側壁との隅部には、開放側壁から見た正面形状が略方形状の嵌合片が形成されており、また、相対する開放側壁の外壁の両端部付近には、下端及び外壁側が開放されているとともに、開放側壁の外壁と直交する嵌合片の幅と略同じ幅溝を有する嵌合凹溝が形成されており、上方に位置する側部開放型容器と下方に位置する側部開放型容器とを、開口凹部が形成されていない側壁が、互いに、直交するように配置し、次いで、上方の側部開放型容器の底部を、下方の側部開放型容器の開放側壁の上端部に載置した際には、上方に位置する側部開放型容器に形成された前記嵌合凹溝に、下方に位置する側部開放型容器の開放側壁に形成された前記嵌合片が、嵌合されて、上方に位置する側部開放型容器の下方に位置する側部開放型容器に対する水平方向の移動が阻止されるように構成したものである。
【０００８】
以下に、本発明の側部開放型容器の斜視図である図１、本発明の２つの側部開放型容器のネスティング前の斜視図である図２及び本発明の２つの側部開放型容器のネスティング状態の斜視図である図３を用いて、本発明の側部開放型容器について説明する。
【０００９】
本発明の側部開放型容器Ｃにおいては、底面が平坦な底部１の一方の相対する側部からは、開口凹部が形成されていない側壁２が立設されており、また、底部１のもう一方の相対する側部からは、適当な高さの、例えば、開口凹部が形成されていない側壁２の高さの略三分の一の高さを有する側壁３（以下、この側壁を、従来の側部開放型容器と同様に、単に、「開放側壁」という。）が立設されている。４は、相対する開放側壁３の上端部３ａの両端から上方に延設された、開放側壁３から見た正面形状が略方形状の嵌合片であり、嵌合片４は、開口凹部が形成されていない側壁２の高さの三分の一以下の高さに形成されることが好ましい。５は、相対する開放側壁３の外壁の両端部付近に形成された、略垂直に延びる嵌合凹溝であり、嵌合凹溝５の下端５ａは開放されており、また、嵌合凹溝５の上端には天壁５ｂが形成されている。
【００１０】
側部開放型容器Ｃは、図２に示されているように、上方に位置する側部開放型容器Ｃ１と下方に位置する側部開放型容器Ｃ２とが、開口凹部が形成されていない側壁２が、互いに、直交するように配置し、次いで、上方の側部開放型容器Ｃ１の底部１を、下方の側部開放型容器Ｃ２の開放側壁３の上端部３ａに載置した際には、上方に位置する側部開放型容器Ｃ１の相対する開放側壁３の外壁の両端部付近に形成された嵌合凹溝５に、下方に位置する側部開放型容器Ｃ２の相対する開放側壁３の上端部３ａから上方に延設された嵌合片４が、嵌合するように構成されている。
【００１１】
本発明は、上述したように、側部開放型容器Ｃの底部１の底面は、従来の側部開放型容器Ｃ’のように、凹溝１０ａが形成されておらず、平坦に形成されているので、側部開放型容器Ｃをローラーコンベヤー等の搬送装置に載置して、搬送する際にも、スムースな搬送が実現できるとともに、搬送装置からの側部開放型容器Ｃの搬出をスムースに行うことができる。
【００１２】
また、上方に位置する側部開放型容器Ｃ１と下方に位置する側部開放型容器Ｃ２とが、開口凹部が形成されていない側壁２が、互いに、直交するように配置した際には、上方に位置する側部開放型容器Ｃ１の相対する開放側壁３の外壁の両端部付近に形成された嵌合凹溝５に、下方に位置する側部開放型容器Ｃ２の相対する開放側壁３の上端部３ａから上方に延設された嵌合片４が、嵌合するように構成されているので、上方に位置する側部開放型容器Ｃ１が、下方に位置する側部開放型容器Ｃ２に対して、水平方向に移動しないので、多数の側部開放型容器Ｃを、安定した状態で、コンパクトに積み重ねることができる。
【００１３】
更に、相対する開放側壁３には、上端部の両端から上方に延設した嵌合片４が形成されているので、開放側壁３の開口凹部を補強することができるとともに、開口凹部が形成されていない側壁２に外力が加わっても、該側壁２の変形が少なく、該側壁２の補強にもなる。
【００１４】
【発明の効果】
本発明は、以上説明したように構成されているので、以下に記載の効果を奏するものである。
【００１５】
側部開放型容器の底部底面が平坦に形成されているので、側部開放型容器をローラーコンベヤー等の搬送装置に載置して、搬送する際にも、スムースな搬送が実現できるとともに、搬送装置からの側部開放型容器の搬出をスムースに行うことができる。
【００１６】
上方に位置する側部開放型容器の開放側壁の外壁に形成された嵌合凹溝に、下方に位置する側部開放型容器の開放側壁に形成された嵌合片が嵌合するように構成されているので、上方に位置する側部開放型容器が、下方に位置する側部開放型容器に対して、水平方向に移動しないので、多数の側部開放型容器を、安定した状態でネスティングすることができる。
【００１７】
相対する開放側壁に嵌合片を形成したので、開放側壁の開口凹部及び開口凹部が形成されていない側壁を補強することができる。
【図面の簡単な説明】
【図１】図１は本発明の側部開放型容器の斜視図である。
【図２】図２は本発明の２つの側部開放型容器のネスティング前の斜視図である。
【図３】図３は本発明の２つの側部開放型容器のネスティング状態の斜視図である。
【図４】図４は従来の側部開放型容器の斜視図である。
【図５】図５は従来の２つの側部開放型容器が上下方向に配置された状態の斜視図である。
【符号の説明】
Ｃ・・・・・・・・・・・・側部開放型容器
１・・・・・・・・・・・・底部
２・・・・・・・・・・・・側壁
３・・・・・・・・・・・・開放側壁
４・・・・・・・・・・・・嵌合片
５・・・・・・・・・・・・嵌合凹溝
【図１】
0003940457.tif 000002
【図２】
0003940457.tif 000003
【図３】
0003940457.tif 000004
【図４】
0003940457.tif 000005
【図５】
0003940457.tif 000006